(57)【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する操作と、アプリケーションの機能を実行するための前記第２画像に対する操作とを一律に受け付ける入力部からの出力信号に基づき、前記第１画像内の第１アイコンを操作する直前の行為として予め定義された第１行為が実施されたまたは実施中であると判定された場合には、前記第２画像において前記第１アイコンの表示領域に対応する第１領域を識別可能に表示させる制御部
を備える、表示制御装置。
【請求項２】
請求項１に記載の表示制御装置であって、
前記制御部は、
前記第１アイコンの画像、前記第１アイコンに予め定められた加工を施すことによって得られるアイコンの画像、前記第２画像内の前記第１領域に表示されていた元画像に予め定められた加工を施すことによって得られる画像、当該元画像と前記第１アイコンの画像とを合成することによって得られる合成画像、予め定められた図形の画像、または、当該元画像と前記予め定められた画像とを合成することによって得られる合成画像を、前記第１領域に表示させることによって、前記第２画像において前記第１領域を識別可能に表示させる、表示制御装置。
【請求項３】
請求項１に記載の表示制御装置であって、
前記制御部は、
前記入力部からの出力信号に基づき、前記第２画像内の第２アイコンを操作する直前の行為として予め定義された第２行為が実施されたまたは実施中であると判定された場合には、前記第１画像において前記第２アイコンの表示領域に対応する第２領域を識別可能に表示させる、表示制御装置。
【請求項４】
請求項３に記載の表示制御装置であって、
前記制御部は、
前記第２アイコンの画像、前記第２アイコンに予め定められた加工を施すことによって得られるアイコンの画像、前記第１画像内の前記第２領域に表示されていた元画像に予め定められた加工を施すことによって得られる画像、当該元画像と前記第２アイコンの画像とを合成することによって得られる合成画像、予め定められた図形の画像、または、当該元画像と前記予め定められた画像とを合成することによって得られる合成画像を、前記第２領域に表示させることによって、前記第１画像において前記第２領域を識別可能に表示させる、表示制御装置。
【請求項５】
請求項３に記載の表示制御装置であって、
前記制御部は、
前記表示部の画面上において、前記第２アイコンの表示領域の少なくとも一部と前記第１領域の少なくとも一部とが重なり、かつ、前記第１アイコンの表示領域の少なくとも一部と前記第２領域の少なくとも一部とが重なる場合には、前記入力部からの出力信号に基づき実施されたと判定された前記第１アイコン及び前記第２アイコンの一方に対する操作を無効にするとともに、当該無効にすることを前記表示部に識別可能に表示させる、表示制御装置。
【請求項６】
請求項５に記載の表示制御装置であって、
前記制御部は、
前記第１アイコンの占有面積または複数の前記第１アイコンの占有面積と、前記第２アイコンの占有面積または複数の前記第２アイコンの占有面積とに基づいて、前記第１アイコン及び前記第２アイコンのうち前記操作を無効にすべき前記一方を選択する、表示制御装置。
【請求項７】
請求項１に記載の表示制御装置であって、
前記入力部からの前記出力信号は、指示体と前記入力部との間の距離を示す信号を含み、
前記第１行為は、前記距離が予め定められた閾値以下になった場合として定義される、表示制御装置。
【請求項８】
請求項７に記載の表示制御装置であって、
前記制御部は、
前記第１行為が実施されている間に、前記距離に応じて、前記第２画像において前記第１領域を識別可能に表示させる第１制御と、前記第２画像において前記第１領域を識別可能に表示させない第２制御とを選択的に実行する、表示制御装置。
【請求項９】
請求項７に記載の表示制御装置であって、
前記入力部からの前記出力信号は、指示体の移動速度に関する信号を含み、
前記制御部は、
前記第１行為が実施されている間に、前記移動速度に応じて、前記第２画像において前記第１領域を識別可能に表示させる第１制御と、前記第２画像において前記第１領域を識別可能に表示させない第２制御とを選択的に実行する、表示制御装置。
【請求項１０】
請求項１に記載の表示制御装置であって、
前記制御部は、
前記第１領域が複数存在する場合には、前記第２画像において複数の前記第１領域を囲む領域を当該複数の第１領域に代えて表示させる、表示制御装置。
【請求項１１】
請求項３に記載の表示制御装置であって、
前記制御部は、
前記第２領域が複数存在する場合には、前記第１画像において複数の前記第２領域を囲む領域を当該複数の第２領域に代えて表示させる、表示制御装置。
【請求項１２】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）アプリケーションの機能を実行するための前記第１画像に対する操作と、アプリケーションの機能を実行するための前記第２画像に対する操作とを一律に受け付ける入力部からの出力信号に基づき、前記第１画像内の第１アイコンを操作する直前の行為として予め定義された第１行為が実施されたか否か及び実施中であるか否かを判定する工程と、
（ｂ）前記工程（ａ）において前記第１行為が実施されたまたは実施中であると判定された場合には、前記第２画像において前記第１アイコンの表示領域に対応する第１領域を識別可能に表示させる工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、例えば、助手席の同乗者が、ドラッグ操作などの比較的広い範囲にわたる操作を実施した場合には、運転席側の方向に表示されている画像内のアイコンに対して知らないうちに操作を実施してしまうことがあるという問題があった。【０００７】
そこで、本発明は、上記のような問題点を鑑みてなされたものであり、ユーザが、意図せずに相手側のアイコンを操作してしまうことを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、アプリケーションの機能を実行するための第１画像に対する操作と、アプリケーションの機能を実行するための第２画像に対する操作とを一律に受け付ける入力部からの出力信号に基づき、第１画像内の第１アイコンを操作する直前の行為として予め定義された第１行為が実施されたまたは実施中であると判定された場合には、第２画像において第１アイコンの表示領域に対応する第１領域を識別可能に表示させる制御部を備える。
【発明の効果】
【０００９】
本発明によれば、第１画像内の第１アイコンを操作する直前の行為として予め定められた第１行為が実施されたまたは実施中であると判定された場合には、第２画像において第１アイコンの表示領域に対応する第１領域を識別可能に表示させる。これにより、第２画像を視認可能なユーザが、意図せずに第１アイコンを操作してしまうことを抑制することができる。【００１０】
本発明の目的、特徴、態様、および利点は、以下の詳細な説明と添付図面とによって、より明白となる。
【図面の簡単な説明】
【００１１】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】タッチパネルによる指示体の検出の一例を示す図である。
【図７】実施の形態１に係るナビゲーション装置の動作を示すフローチャートである。
【図８】実施の形態１に係るナビゲーション装置の左用画像及び右用画像の表示例を示す図である。
【図９】実施の形態１に係るナビゲーション装置の左用画像及び右用画像の表示例を示す図である。
【図１０】実施の形態１の変形例１に係るナビゲーション装置の左用画像及び右用画像の表示例を示す図である。
【図１１】実施の形態１の変形例１に係るナビゲーション装置の左用画像及び右用画像の表示例を示す図である。
【図１２】実施の形態１の変形例１に係るナビゲーション装置の左用画像及び右用画像の表示例を示す図である。
【図１３】実施の形態１の変形例１に係るナビゲーション装置の左用画像及び右用画像の表示例を示す図である。
【図１４】実施の形態１の変形例２に係るナビゲーション装置の動作を示すフローチャートである。
【図１５】実施の形態２に係るナビゲーション装置の動作を示すフローチャートである。
【図１６】実施の形態２に係るナビゲーション装置の左用画像及び右用画像の表示例を示す図である。
【図１７】実施の形態３に係るナビゲーション装置の動作を示すフローチャートである。
【図１８】実施の形態３に係るナビゲーション装置の左用画像及び右用画像の表示例を示す図である。
【図１９】実施の形態３に係るナビゲーション装置の左用画像及び右用画像の表示例を示す図である。
【図２０】実施の形態３に係るナビゲーション装置の左用画像及び右用画像の表示例を示す図である。
【図２１】実施の形態４に係るナビゲーション装置の右用画像の表示例を示す図である。
【図２２】実施の形態４に係るナビゲーション装置の右用画像の表示例を示す図である。
【発明を実施するための形態】
【００１２】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１３】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１４】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１５】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１６】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１７】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１８】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１９】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００２０】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用アイコンの表示に用いられる第１画素２０１ａの数、及び、右用アイコンの表示に用いられる第２画素２０１ｂの数は、４つに限ったものではない。
【００２１】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２２】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２３】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２４】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２５】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２６】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。なお、左用アイコンの表示に用いられる画素２５１ｃの数、及び、右用アイコンの表示に用いられる画素２５１ｃの数は、３つに限ったものではない。
【００２７】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２８】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２９】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００３０】
図１に戻って、タッチパネル３の検出面は、スプリットビュー表示部２の画面に配設されている。タッチパネル３（入力部）は、アプリケーションの機能を実行するための左用画像に対する操作と、アプリケーションの機能を実行するための右用画像に対する操作とを一律に受け付ける。本実施の形態１に係るタッチパネル３は、図６に示すように、ユーザ（運転者及び助手席の同乗者）の指などの指示体との距離が最短となる検出面上の点の位置（Ｘ，Ｙ）と、指示体と検出面（当該点）との間の距離Ｚとを含む３次元の位置（Ｘ，Ｙ，Ｚ）を、指示体の位置として検出する。指示体（図６では指２１）とタッチパネル３の検出面との間の距離Ｚが０である場合には、指示体（図６では指２１）がタッチパネル３の検出面を接触（タッチ）していることを意味する。
【００３１】
このようなタッチパネル３には、例えば、検出面と指示体との間に形成される静電容量に基づいて指示体の三次元の位置（検出面上の基準点に対する指示体の三次元の位置）を検出する静電式タッチパネルが適用される。タッチパネル３は、以上のような指示体の三次元の位置を定期的に検出し、当該三次元の位置を示す信号を、操作入力処理部９に出力する。
【００３２】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３３】
スピーカ５（音声出力部）は、制御部１４から出力された音声信号に基づいて音声を出力する。
【００３４】
ＤＶＤプレーヤ６は、ＤＶＤに記録されたＡＶ（Audio-video）情報を再生し、当該ＡＶ情報を制御部１４に出力する。
【００３５】
エアコン７は、制御部１４の制御により、自車の室内の温度や湿度を調整する。
【００３６】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３７】
操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の三次元の位置を示す信号）とに基づいて、タッチパネル３、ひいてはスプリットビュー表示部２に表示されているアイコンなどに対して操作が実施されたか否かを判定する。ここでは、操作入力処理部９は、タッチパネル３の出力信号が、距離Ｚ＝０を示し、かつ、当該出力信号が示す指示体の位置が、左用アイコンの表示領域に重なる（当該指示体が、当該左用アイコンの内側に位置する）と判定した場合には、当該左用アイコンに対する操作が実施されたと判定する。同様に、操作入力処理部９は、タッチパネル３の出力信号が、距離Ｚ＝０を示し、かつ、当該出力信号が示す指示体の位置が、右用アイコンの表示領域に重なる（当該指示体が、当該右用アイコンの内側に位置する）と判定した場合には、当該右用アイコンに対する操作が実施されたと判定する。そして、操作入力処理部９は、その判定結果を制御部１４に出力する。
【００３８】
以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００３９】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図８（ａ）及び図８（ｂ）に対応する画像）を、「アイコン配置画像」と記す。「アイコン配置画像」は、地図情報にアイコンを表示した画像も含む。
【００４０】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４１】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４２】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４３】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４４】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４５】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４６】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図８（ａ）に対応する画像）を「左用アイコン配置画像」と記す。なお、左用画像として表示されている左用アイコン配置画像内のアイコンは、上述の左用アイコンである。
【００４７】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図８（ｂ）に対応する画像）を「右用アイコン配置画像」と記す。なお、右用画像として表示されている右用アイコン配置画像内のアイコンは、上述の右用アイコンである。
【００４８】
さて、上述した操作入力処理部９は、タッチパネル３の出力信号（指示体の三次元の位置を示す信号）に基づいて、左用アイコンを操作する直前の行為として予め定義された第１行為が実施されたか否かを判定し、その判定結果を制御部１４に出力する。ここでは、操作入力処理部９は、左用アイコンが表示されている際に、タッチパネル３の出力信号が示す距離Ｚが０より大きくかつ予め定められた閾値ＺＬ１（例えば３〜１０ｃｍ程度）以下になったと判定した場合に、左用アイコンを操作する直前の行為（第１行為）が実施されたと判定し、そうでない場合には、左用アイコンを操作する直前の行為（第１行為）が実施されなかったと判定する。
【００４９】
そして、以下に詳細に説明するように、タッチパネル３からの出力信号に基づき、左用アイコンを操作する直前の行為が実施されたまたは実施中であると操作入力処理部９で判定された場合には、制御部１４は、右用画像において左用アイコンの表示領域に対応する第１領域（以下「左用アイコン対応領域」と記す）を識別可能に表示させる。
【００５０】
図７は、本実施の形態１に係るナビゲーション装置１の動作を示すフローチャートである。図７に示される動作はＣＰＵが記憶部１１に記憶されたプログラムを実行することによって行われる。以下、ナビゲーション装置１の動作について図７を用いて説明する。
【００５１】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５２】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５３】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５４】
図８（ａ）及び図８（ｂ）は、本実施の形態１に係るナビゲーション装置１（スプリットビュー表示部２）のステップＳ３における左用画像及び右用画像の表示例を示す図である。図８（ａ）の左用画像には、左用アイコンＬ１，Ｌ２，Ｌ３，Ｌ４，Ｌ５，Ｌ６（以下これらのアイコンをまとめて「左用アイコンＬ１〜Ｌ６」と記すこともある）が配置された左用アイコン配置画像が表示されている。図８（ｂ）の右用画像には、右用アイコンＲ１，Ｒ２，Ｒ３，Ｒ４，Ｒ５（以下これらのアイコンをまとめて「右用アイコンＲ１〜Ｒ５」と記すこともある）が配置された右用アイコン配置画像が表示されている。
【００５５】
なお、本実施の形態１では、左用アイコンＬ１〜Ｌ６の表示領域と、右用アイコンＲ１〜Ｒ５の表示領域とが、スプリットビュー表示部２の画面上において離間して配置される場合について説明し、これらが互いにスプリットビュー表示部２の画面上において重なって配置される場合については、実施の形態３で説明する。
【００５６】
図７のステップＳ４にて、操作入力処理部９は、左用アイコンを操作する直前の行為が実施されたか否か（距離Ｚが０より大きくかつ閾値ＺＬ１以下になったか否か）を判定する。左用アイコンを操作する直前の行為が実施されたと判定された場合にはステップＳ５に進み、実施されなかったと判定された場合にはステップＳ４を再度行う。
【００５７】
なお、ここでの操作入力処理部９は、指示体が閾値ＺＬ１以下の距離でタッチパネル３の検出面に近づいた場合は、左用アイコンを操作する直前の行為が実施されたのか、右用アイコンを操作する直前の行為が実施されたのかを区別せずに、左用アイコンを操作する直前の行為が実施されたと判定している。しかし、当該判定はこれに限ったものではない。例えば、制御部１４は、指示体と検出面との間の距離Ｚだけでなく、図６に示した指示体の二次元の位置（Ｘ，Ｙ）も考慮することによって、左用アイコンを操作する直前の行為が実施されたのか、右用アイコンを操作する直前の行為が実施されたのかを区別して判定してもよい。例えば、図６に示した指示体の位置（Ｘ，Ｙ，Ｚ）が、左用アイコンを覆うドーム状（半球状）の空間領域内に位置すると操作入力処理部９にて判定された場合には、制御部１４は、当該左用アイコンを操作する直前の行為が実施されたと判定してもよい。このことは、後述するステップＳ８、Ｓ２４及びＳ２８などにおいても同様である。
【００５８】
また、ステップＳ４を再度行う際において、地図が左用画像または右用画像として表示されており、かつ、自車の位置が変化していた場合には、制御部１４は、当該変化に応じて当該地図をスクロールさせてもよい。
【００５９】
ステップＳ５にて、制御部１４は、右用画像において左用アイコン対応領域を識別可能に表示させる（識別可能にする表示を行う）。
【００６０】
図９（ａ）及び図９（ｂ）は、本実施の形態１に係るナビゲーション装置１のステップＳ５における左用画像及び右用画像の表示例を示す図である。
【００６１】
図９（ａ）の左用画像は、図８（ａ）の左用画像と同じである。一方、図９（ｂ）に示すように、制御部１４は、右用画像において左用アイコンＬ１，Ｌ２，Ｌ３，Ｌ４，Ｌ５，Ｌ６と同じ位置に、左用アイコン対応領域ＬＡ１，ＬＡ２，ＬＡ３，ＬＡ４，ＬＡ５，ＬＡ６（以下「左用アイコン対応領域ＬＡ１〜ＬＡ６」と記すこともある）を生成する。ここでは、制御部１４は、左用アイコン対応領域ＬＡ１〜ＬＡ６に、左用アイコンＬ１〜Ｌ６と同じ画像をそれぞれ表示することによって、左用アイコン対応領域ＬＡ１〜ＬＡ６を識別可能に表示させる。また、左用画像内の左用アイコンＬ１〜Ｌ６の表示領域と、右用画像内の左用アイコン対応領域ＬＡ１〜ＬＡ６とは、スプリットビュー表示部２の画面上において互いに重なっている。
【００６２】
ここで、図８（ａ）の左用画像及び図８（ｂ）の右用画像が表示されている場合に、左座席のユーザ（運転者）が、左用アイコンＬ１〜Ｌ６に対するタッチ操作やドラッグ操作などの操作を実施しようとして、指などがタッチパネル３の検出面に近づいたとする。この場合、ステップＳ４及びＳ５の動作によって、左座席のユーザ（運転者）は、図８（ａ）の左用画像と同じ図９（ａ）の左用画像を視認することになる。この結果、左座席のユーザ（運転者）は、通常通りに左用アイコンに対する操作を行うと考えられる。
【００６３】
一方、図８（ａ）の左用画像及び図８（ｂ）の右用画像が表示されている場合に、右座席のユーザ（助手席の同乗者）が、右用アイコンＲ１〜Ｒ５以外の領域に何気なく触れようとしたり、右用アイコンＲ１〜Ｒ５に対するタッチ操作やドラッグ操作などの操作を実施しようとしたりして、指などがタッチパネル３の検出面に近づいた結果、指とタッチパネル３との間の距離Ｚが０より大きくかつ予め定められた閾値ＺＬ１になったとする。この場合、右座席のユーザ（助手席の同乗者）は、ステップＳ４及びＳ５の動作によって図８（ｂ）の右用画像に左用アイコン対応領域ＬＡ１〜ＬＡ６が追加された図９（ｂ）の右用画像を視認することになる。このため、右座席のユーザ（助手席の同乗者）が、左用アイコンＬ１〜Ｌ６に対する操作を意図しない場合には、左用アイコン対応領域ＬＡ１〜ＬＡ６に表示されている左用アイコンＬ１〜Ｌ６と同じ画像をタッチしない（操作しない）と考えられる。
【００６４】
図７のステップＳ６にて、操作入力処理部９は、左用アイコンＬ１〜Ｌ６または右用アイコンＲ１〜Ｒ５に対する操作が実施されたか否かを判定する。左用アイコンＬ１〜Ｌ６または右用アイコンＲ１〜Ｒ５に対する操作が実施されたと判定された場合にはステップＳ７に進み、実施されなかったと判定された場合にはステップＳ８に進む。
【００６５】
ステップＳ７にて、制御部１４は、操作されたアイコンに対応するアプリケーションの機能を実行する。その後ステップＳ８に進む。なお、操作されたアイコンに対して、アイコン配置画像が予め対応付けられて記憶部１１に記憶されている場合には、ステップＳ７からステップＳ３に戻って、当該アイコン配置画像がスプリットビュー表示部２に表示されてもよい。
【００６６】
ステップＳ８にて、操作入力処理部９は、ステップＳ４の判定を再度行う。すなわち、操作入力処理部９は、左用アイコンを操作する直前の行為が実施中であるか否か（距離Ｚが０より大きくかつ閾値ＺＬ１以下になったか否か）を判定する。左用アイコンを操作する直前の行為が実施中であると判定された場合にはステップＳ６に戻り、実施中でないと判定された場合にはステップＳ９に進む。
【００６７】
ここで、実施中であると判定される行為は、ステップＳ４にて実施されたと判定された行為から継続する行為であってもよいし、継続しない行為であってもよい。後者の行為、すなわちステップＳ４にて実施されたと判定された行為から継続しない行為としては、例えば、距離Ｚが閾値ＺＬ１近傍である状況下で指示体が震えている場合などが考えられる。この場合、検出のタイミングによって判定結果がばらつかないようにするために、距離ＺにＬＰＦ（Low Pass Filter）信号処理補正を施してもよい。
【００６８】
ステップＳ９にて、制御部１４は、ステップＳ５の右用画像（図９（ｂ））の表示からステップＳ３の元の右用画像（図８（ｂ））の表示に戻す。その後、ステップＳ４に戻る。
【００６９】
＜効果＞
以上のような本実施の形態１に係るナビゲーション装置１によれば、左用アイコンを操作する直前の行為が実施されたまたは実施中であると判定された場合には、右用画像において左用アイコン対応領域を識別可能に表示させる。これにより、右座席のユーザ（助手席の同乗者）が、意図せずに左用アイコンを操作してしまうことを抑制することができる。また、左用アイコン対応領域を常に表示しなくて済むので右用アイコンを見やすいなどという効果や、左用アイコン及び右用アイコンを常に表示している場合に比べて、右座席のユーザ（助手席の同乗者）が、右用アイコン及び左用アイコンを容易に区別することができるという効果も期待できる。
【００７０】
なお、以上の説明では、「第１画像」は左用画像であり、「第１行為」は左用アイコンを操作する直前の行為であり、「第１領域」は右用画像における左用アイコンの表示領域であるものとして説明した。しかしこれに限ったものではなく、「第１画像」は右用画像であり、「第１行為」は右用アイコンを操作する直前の行為であり、「第１領域」は左用画像における右用アイコンの表示領域であるものとしてもよい。これにより、右座席のユーザ（助手席の同乗者）が、意図せずに左用アイコンを操作してしまうことを抑制することができる。
【００７１】
＜実施の形態１の変形例１＞
実施の形態１では、図９（ａ）及び図９（ｂ）に示したように、制御部１４は、左用アイコンＬ１〜Ｌ６と同じ画像を左用アイコン対応領域ＬＡ１〜ＬＡ６にそれぞれ表示させることによって、右用画像において左用アイコン対応領域ＬＡ１〜ＬＡ６を識別可能に表示させた。しかし、左用アイコン対応領域ＬＡ１〜ＬＡ６に表示する画像は、左用アイコンＬ１〜Ｌ６と同じ画像に限ったものではない。
【００７２】
例えば、制御部１４は、左用アイコンＬ１〜Ｌ６に、色もしくは明度を変更する加工、または、ぼかし加工などの予め定められた加工を施し、その加工によって得られるアイコンの画像を、左用アイコン対応領域ＬＡ１〜ＬＡ６にそれぞれ表示させてもよい。
【００７３】
また、制御部１４は、図１０（ａ）及び図１０（ｂ）に示すように、右用画像内の左用アイコン対応領域ＬＡ１〜ＬＡ６に表示されていた元画像（背景画像）に、色もしくは明度を変更する加工（図１０（ｂ）では色の差異がハッチングの細かい点の密度の差異に対応）、または、ぼかし加工などの予め定められた加工を施し、その加工によって得られる画像を、左用アイコン対応領域ＬＡ１〜ＬＡ６にそれぞれ表示させてもよい。
【００７４】
また、右用画像内の左用アイコン対応領域ＬＡ１〜ＬＡ６は、他の領域と区別できればよいことから、左用アイコン対応領域ＬＡ１〜ＬＡ６は、文字やシンボルなどを表示せずに枠だけを表示するようにしてもよい。また、重要なアイコン、及び、押してもよいアイコンについては、重要であるアイコンであること、及び、押してもよいアイコンであることを示す文字などを左用アイコン対応領域ＬＡ１〜ＬＡ６に付加してもよい。
【００７５】
また、制御部１４は、図１１（ａ）及び図１１（ｂ）に示すように、例えば、左用アイコン対応領域ＬＡ１〜ＬＡ６の透過率５０％の元画像（背景画像）と、透過率５０％の左用アイコンＬ１〜Ｌ６の画像（図１１（ｂ）では破線で示す）とを合成することによって得られる合成画像を、左用アイコン対応領域ＬＡ１〜ＬＡ６にそれぞれ表示させてもよい。
【００７６】
また、制御部１４は、図１２（ａ）及び図１２（ｂ）に示すように、予め定められた図形の画像を、左用アイコン対応領域ＬＡ１〜ＬＡ６にそれぞれ表示させてもよい。また、制御部１４は、例えば、左用アイコン対応領域ＬＡ１〜ＬＡ６の透過率５０％の元画像（背景画像）と、透過率５０％の予め定められた図形の画像とを合成することによって得られる合成画像を、左用アイコン対応領域ＬＡ１〜ＬＡ６にそれぞれ表示させてもよい。
【００７７】
また、制御部１４は、図１３（ａ）及び図１３（ｂ）に示すように、左用アイコン対応領域が複数存在する場合には、右用画像において複数の左用アイコン対応領域ＬＡ１〜ＬＡ６を囲む領域ＬＥ１を、左用アイコン対応領域ＬＡ１〜ＬＡ６に代えて表示させてもよい。これにより、一定領域に複数の左用アイコンが存在する場合などには、右用画像において領域ＬＥ１のような領域を表示することが可能となる。
【００７８】
以上のような本変形例１に係るナビゲーション装置１によっても、実施の形態１と同様の効果を得ることができる。なお、図９及び図１１の表示を行う構成によれば、右座席のユーザ（助手席の同乗者）は、左座席のユーザ（運転者）から左用アイコンＬ１〜Ｌ６に対する操作の依頼を受けた場合に、運転者に代わって当該操作を実施することが可能となる。
【００７９】
また、以上の説明では、制御部１４は、左用アイコンを操作する直前の行為が実施されたまたは実行中であると判定された場合に、全ての左用アイコン対応領域ＬＡ１〜ＬＡ６を識別可能に表示させた。しかしこれに限ったものではなく、制御部１４は、左用アイコンを操作する直前の行為が実施されたまたは実行中であると判定された場合に、左用アイコン対応領域ＬＡ１〜ＬＡ６の少なくともいずれか一つ（例えば指示体に最も近い一つの左用アイコン対応領域）を識別可能に表示させてもよい。また、いずれか一つのアイコンに関して左用アイコン対応領域ＬＡ１〜ＬＡ６を表示するだけでなく、例えば（Ｘ，Ｙ）座標などの指示体の位置から予め定められた距離内、または、当該位置を含む予め定められた範囲内に位置する左用アイコン対応領域ＬＡ１〜ＬＡ６を表示するように構成してもよい。
【００８０】
＜実施の形態１の変形例２＞
実施の形態１では、静電式のタッチパネルをタッチパネル３に適用した構成について説明した。しかし、ナビゲーション装置１の構成は、これに限ったものではなく、以下の第１例〜第３例に説明する構成であってもよい。
【００８１】
第１例の構成では、赤外線を用いて指示体を検出する機構が検出面と垂直に二段重ねて設けられた赤外線式タッチパネルを、タッチパネル３に適用する。このように構成されたタッチパネル３は、上述の距離Ｚの代わりに、指示体が検出面に近接している状態（上段のみ指示体を検出した状態）、指示体が検出面に接触している状態（上段及び下段において指示体を検出した状態）、及び、それら以外の状態のいずれかを検出する。
【００８２】
そして、第１例の構成では、操作入力処理部９は、タッチパネル３の出力信号が、指示体が検出面に接触している状態を示し、かつ、当該出力信号が示す指示体の位置が、左用アイコンと重なると判定した場合に、当該左用アイコンに対する操作が実施されたと判定する。右用アイコンについても同様である。また、操作入力処理部９は、左用アイコンが表示されている際に、タッチパネル３の出力信号が、指示体が検出面に近接している状態を示している場合に、左用アイコンを操作する直前の行為（第１行為）が実施されたと判定する。
【００８３】
以上のような第１例の構成であっても、実施の形態１と同様の効果を得ることができる。
【００８４】
また、第２例の構成では、上述の距離Ｚの代わりに、指示体がタッチパネルに軽く接触するタッチ操作、及び、指示体によって検出面が押し込まれた量（押し込み量）を検出することが可能な静電式タッチパネルを、タッチパネル３に適用する。
【００８５】
そして、第２例の構成では、操作入力処理部９は、タッチパネル３の出力信号が示す押し込み量が予め定められた値よりも大きく、かつ、当該出力信号が示す指示体の位置が、左用アイコンと重なると判定した場合に、当該アイコンに対して押し込み操作が実施されたと判定する。右用アイコンについても同様である。また、操作入力処理部９は、タッチパネル３の出力信号が示す押し込み量が予め定められた値以下であり、かつ、当該出力信号が示す指示体の位置が、左用アイコンと重なると判定した場合に、当該左用アイコンに対してタッチ操作が実施されたと判定する。そして、操作入力処理部９は、左用アイコンに対してタッチ操作が実施されたと判定した場合に、左用アイコンを操作する直前の行為（第１行為）が実施されたと判定する。
【００８６】
以上のような第２例の構成であっても、実施の形態１と同様の効果を得ることができる。
【００８７】
また、第３例の構成では、指示体の三次元の位置を検出可能であり、かつ、指示体の押し込み量の両方を検出可能な静電式タッチパネルを、タッチパネル３に適用する。図１４は、当該静電式タッチパネルを備える本変形例２に係るナビゲーション装置１の動作を示すフローチャートである。図１４に示すフローチャートは、図７に示したフローチャートのステップＳ６をステップＳ１１に置き換え、ステップＳ１１とステップＳ７との間にステップＳ１２及びＳ１３を追加したものと同じであることから、以下においては、ステップＳ１１，Ｓ１２及びＳ１３について主に説明する。
【００８８】
ステップＳ５後のステップＳ１１にて、操作入力処理部９は、第２例の構成で説明した判定を行うことによって、左用アイコンまたは右用アイコンに対するタッチ操作が実施されたか否かを判定する。
【００８９】
ステップＳ１１にて左用アイコンまたは右用アイコンに対するタッチ操作が実施されたと判定された場合にはステップＳ１２に進み、実施されなかったと判定された場合にはステップＳ８に進む。
【００９０】
ステップＳ１２にて、制御部１４は、タッチ操作されたアイコンをハイライトで表示する。
【００９１】
ステップＳ１３にて、操作入力処理部９は、第２例の構成で説明した判定を行うことによって、タッチ操作されたアイコンに対して、押し込み操作が実施されたか否かを判定する。
【００９２】
ステップＳ１３にて押し込み操作が実施されたと判定された場合にはステップＳ７に進み、押し込み操作が実施されたアイコンに対応するアプリケーションの機能を実行する。一方、ステップＳ１３にて押し込み操作が実施されなかったと判定された場合には、ステップＳ１１に戻る。なお、ステップＳ１３からステップＳ１１に戻る際において、ステップＳ１２のハイライト表示を必要に応じて解除してもよい。
【００９３】
以上のような第３例の構成であっても、実施の形態１と同様の効果を得ることができる。
【００９４】
＜実施の形態２＞
実施の形態１では、左用アイコンを操作する直前の行為が実施されたまたは実施中であると判定された場合に、右用画像において左用アイコン対応領域を識別可能に表示させた。本発明の実施の形態２では、これと同様の表示を左用画像においても行うように構成されている。以下、本実施の形態２に係るナビゲーション装置１の構成について説明する。
【００９５】
なお、本実施の形態２に係るナビゲーション装置１のブロック構成は、実施の形態１のブロック構成と同じであることから、その図示については省略する。そして、本実施の形態２に係るナビゲーション装置１において、実施の形態１で説明した構成要素と同一または類似するものについては同じ符号を付し、以下においては異なる点を中心に説明する。
【００９６】
本実施の形態２に係る操作入力処理部９は、タッチパネル３の出力信号に基づいて、右用アイコンを操作する直前の行為として予め定義された第２行為が実施されたか否かを判定し、その判定結果を制御部１４に出力する。ここでは、操作入力処理部９は、右用アイコンが表示されている際に、タッチパネル３の出力信号が示す距離Ｚが０より大きくかつ予め定められた閾値ＺＲ１（例えば３〜１０ｃｍ程度）以下になったと判定した場合に、右用アイコンを操作する直前の行為（第２行為）が実施されたと判定し、そうでない場合には、右用アイコンを操作する直前の行為（第２行為）が実施されなかったと判定する。
【００９７】
なお、閾値ＺＲ１は、実施の形態１で説明した閾値ＺＬ１と異なる値であってもよいが、ここでは説明を簡単にするため同じ値であるものとする。このような構成においては、左用アイコンを操作する直前の行為が実施されたか否かを判定することと、右用アイコンを操作する直前の行為が実施されたか否かを判定することとは実質的に同じとなる。
【００９８】
そして、以下に詳細に説明するように、タッチパネル３からの出力信号に基づき、右用アイコンを操作する直前の行為が実施されたまたは実施中であると操作入力処理部９で判定された場合には、制御部１４は、左用画像において右用アイコンの表示領域に対応する第２領域（以下「右用アイコン対応領域」と記す）を識別可能に表示させる。
【００９９】
図１５は、本実施の形態２に係るナビゲーション装置１の動作を示すフローチャートである。なお、図１５に示すフローチャートは、図７に示したフローチャートのステップＳ４〜Ｓ９をステップＳ２４〜Ｓ２９にそれぞれ置き換えたものと同じであることから、以下においては、ステップＳ２４〜Ｓ２９について主に説明する。
【０１００】
ステップＳ１及びＳ２を経たステップＳ３にて、制御部１４は、取得した左用アイコン配置画像をスプリットビュー表示部２の左用画像として表示し、取得した右用アイコン配置画像をスプリットビュー表示部２の右用画像として表示する。ここでは、ステップＳ３にて、図８（ａ）及び図８（ｂ）に示した左用画像及び右用画像がスプリットビュー表示部２に表示されたものとする。
【０１０１】
ステップＳ３後のステップＳ２４にて、操作入力処理部９は、左用アイコンを操作する直前の行為が実施されたか否か（距離Ｚが０より大きくかつ閾値ＺＬ１以下になったか否か）を判定するとともに、右用アイコンを操作する直前の行為が実施されたか否か（距離Ｚが０より大きくかつ閾値ＺＲ１以下になったか否か）を判定する。ここでは上述したように、閾値ＺＲ１と閾値ＺＬ１とが同じ値であることから、前者の判定及び後者の判定は実質的に同一である。左用アイコンを操作する直前の行為（右用アイコンを操作する直前の行為）が実施されたと判定された場合にはステップＳ２５に進み、実施されなかったと判定された場合にはステップＳ２４を再度行う。なお、ステップＳ２４を再度行う際において、地図が左用画像または右用画像として表示されており、かつ、自車の位置が変化していた場合には、制御部１４は、当該変化に応じて当該地図をスクロールさせてもよい。
【０１０２】
ステップＳ２５にて、制御部１４は、右用画像において左用アイコン対応領域を識別可能に表示させるとともに、左用画像において右用アイコン対応領域を識別可能に表示させる。
【０１０３】
図１６（ａ）及び図１６（ｂ）は、本実施の形態２に係るナビゲーション装置１のステップＳ２５における左用画像及び右用画像の表示例を示す図である。
【０１０４】
図１６（ｂ）に示すように、制御部１４は、実施の形態１と同様に、右用画像において左用アイコンＬ１〜Ｌ６と同じ位置に、左用アイコン対応領域ＬＡ１〜ＬＡ６を生成する。ここでは、制御部１４は、左用アイコン対応領域ＬＡ１〜ＬＡ６に、左用アイコンＬ１〜Ｌ６と同じ画像をそれぞれ表示することによって、左用アイコン対応領域ＬＡ１〜ＬＡ６を識別可能に表示させる。
【０１０５】
本実施の形態２ではそれだけでなく、図１６（ａ）に示すように、制御部１４は、左用画像において右用アイコンＲ１，Ｒ２，Ｒ３，Ｒ４，Ｒ５と同じ位置に、右用アイコン対応領域ＲＡ１，ＲＡ２，ＲＡ３，ＲＡ４，ＲＡ５（以下「右用アイコン対応領域ＲＡ１〜ＲＡ５」と記すこともある）を生成する。ここでは、制御部１４は、右用アイコン対応領域ＲＡ１〜ＲＡ５に、右用アイコンＲ１〜Ｒ５と同じ画像をそれぞれ表示することによって、右用アイコン対応領域ＲＡ１〜ＲＡ５を識別可能に表示させる。また、右用画像内の右用アイコンＲ１〜Ｒ５の表示領域と、左用画像内の右用アイコン対応領域ＲＡ１〜ＲＡ５とは、スプリットビュー表示部２の画面上において互いに重なっている。
【０１０６】
図１５のステップＳ２６にて、操作入力処理部９はステップＳ６と同様、左用アイコンＬ１〜Ｌ６または右用アイコンＲ１〜Ｒ５に対する操作が実施されたか否かを判定する。左用アイコンＬ１〜Ｌ６または右用アイコンＲ１〜Ｒ５に対する操作が実施されたと判定された場合にはステップＳ２７に進み、実施されなかったと判定された場合にはステップＳ２８に進む。
【０１０７】
ステップＳ２７にて、制御部１４は、ステップＳ７と同様に、操作されたアイコンに対応するアプリケーションの機能を実行する。その後ステップＳ２８に進む。なお、操作されたアイコンに対して、アイコン配置画像が予め対応付けられて記憶部１１に記憶されている場合には、ステップＳ２７からステップＳ３に戻って、当該アイコン配置画像がスプリットビュー表示部２に表示されてもよい。
【０１０８】
ステップＳ２８にて、操作入力処理部９は、ステップＳ２４の判定を再度行う。すなわち、操作入力処理部９は、左用アイコンを操作する直前の行為が実施中であるか否か（距離Ｚが０より大きくかつ閾値ＺＬ１以下になったか否か）を判定するとともに、右用アイコンを操作する直前の行為が実施中であるか否か（距離Ｚが０より大きくかつ閾値ＺＲ１以下になったか否か）を判定する。左用アイコンを操作する直前の行為（右用アイコンを操作する直前の行為）が実施中であると判定された場合にはステップＳ２６に戻り、実施中でないと判定された場合にはステップＳ２９に進む。なお、判定対象となる行為は、ステップＳ２４にて実施されたと判定された行為から継続する行為であってもよいし、継続しない行為であってもよい。
【０１０９】
ステップＳ２９にて、制御部１４は、ステップＳ２５の右用画像（図１６（ｂ））の表示からステップＳ３の元の右用画像（図８（ｂ））の表示に戻す。また、制御部１４は、ステップＳ２５の左用画像（図１６（ａ））の表示からステップＳ３の元の左用画像（図８（ａ））の表示に戻す。その後、ステップＳ２４に戻る。
【０１１０】
＜効果＞
以上のような本実施の形態２に係るナビゲーション装置１によれば、左用アイコンを操作する直前の行為が実施されたまたは実施中であると判定された場合には、右用画像において左用アイコン対応領域を識別可能に表示させ、かつ、右用アイコンを操作する直前の行為が実施されたまたは実施中であると判定された場合には、左用画像において右用アイコン対応領域を識別可能に表示させる。これにより、実施の形態１と同様の効果を、右座席のユーザ（助手席の同乗者）及び左座席のユーザ（運転者）に対して得ることができる。
【０１１１】
なお、閾値ＺＬ１＜閾値ＺＲ１とすると、運転者側の左用画像において右用アイコン対応領域ＲＡ１〜ＲＡ５を早めに表示することになる。これにより、運転席側にて操作するまでの時間を助手席側に比べて長く取ることができ、運転者に余裕を持たせることができることから、運転者側にとって使い勝手が良いものとなる。
【０１１２】
また、実施の形態２においても、実施の形態１の変形例１と同様の変形を適用してもよい。具体的には、右用アイコン対応領域に表示する画像は、右用アイコンと同じ画像に限ったものではなく、以下に説明する第１例〜第６例のいずれかまたはこれらの組み合わせを適用してもよい。
【０１１３】
第１例として、制御部１４は、右用アイコンに、色もしくは明度を変更する加工、または、ぼかし加工などの予め定められた加工を施し、その加工によって得られるアイコンの画像を、右用アイコン対応領域に表示させてもよい。第２例として、制御部１４は、図１０（ｂ）に示した変形例と同様に、左用画像内の右用アイコン対応領域に表示されていた元画像（背景画像）に、色もしくは明度を変更する加工、または、ぼかし加工などの予め定められた加工を施し、その加工によって得られる画像を、右用アイコン対応領域に表示させてもよい。
【０１１４】
第３例として、制御部１４は、図１１（ｂ）に示した変形例と同様に、例えば、右用アイコン対応領域の透過率５０％の元画像（背景画像）と、透過率５０％の右用アイコンの画像とを合成することによって得られる画像を、右用アイコン対応領域に表示させてもよい。第４例として、制御部１４は、図１２（ｂ）に示した変形例と同様に、予め定められた図形の画像を、右用アイコン対応領域に表示させてもよい。第５例として、制御部１４は、例えば、右用アイコン対応領域の透過率５０％の元画像（背景画像）と、透過率５０％の予め定められた図形の画像とを合成することによって得られる合成画像を、右用アイコン対応領域に表示させてもよい。
【０１１５】
第６例として、制御部１４は、図１３（ｂ）に示した変形例と同様に、右用アイコン対応領域が複数存在する場合には、左用画像において複数の右用アイコン対応領域を囲む領域を、右用アイコン対応領域に代えて表示させてもよい。
【０１１６】
以上のような構成においても、実施の形態２と同様の効果を得ることができる。
【０１１７】
また、以上の説明では、制御部１４は、左用アイコンを操作する直前の行為が実施されたまたは実行中であると判定された場合に、全ての左用アイコン対応領域ＬＡ１〜ＬＡ６を識別可能に表示させた。しかしこれに限ったものではなく、制御部１４は、左用アイコンを操作する直前の行為が実施されたまたは実行中であると判定された場合に、左用アイコン対応領域ＬＡ１〜ＬＡ６の少なくともいずれか一つ（例えば指示体に最も近い一つの左用アイコン対応領域）を識別可能に表示させてもよい。また、同様に、制御部１４は、右用アイコンを操作する直前の行為が実施されたまたは実行中であると判定された場合に、右用アイコン対応領域ＲＡ１〜ＲＡ５の少なくともいずれか一つ（例えば指示体に最も近い一つの右用アイコン対応領域）を識別可能に表示させてもよい。また、いずれか一つのアイコンに関して左用アイコン対応領域ＬＡ１〜ＬＡ６，右用アイコン対応領域ＲＡ１〜ＲＡ５を表示するだけでなく、例えば（Ｘ，Ｙ）座標などの指示体の位置から予め定められた距離内、または、当該位置を含む予め定められた範囲内に位置する左用アイコン対応領域ＬＡ１〜ＬＡ６，右用アイコン対応領域ＲＡ１〜ＲＡ５を表示するように構成してもよい。
【０１１８】
＜実施の形態３＞
本発明の実施の形態３に係るナビゲーション装置１のブロック構成は、実施の形態１のブロック構成と同じであることから、その図示については省略する。そして、本実施の形態３に係るナビゲーション装置１において、実施の形態２で説明した構成要素と同一または類似するものについては同じ符号を付し、以下においては異なる点を中心に説明する。
【０１１９】
図１７は、本実施の形態３に係るナビゲーション装置１の動作を示すフローチャートである。なお、図１７に示すフローチャートは、図１５に示したフローチャートのステップＳ２４とＳ２５との間にステップＳ３１を追加し、さらにステップＳ３１に対してステップＳ２５から分岐するステップＳ３２〜Ｓ３６を追加したものであることから、以下においては、ステップＳ３１〜Ｓ３６について主に説明する。また、閾値ＺＲ１は、閾値ＺＬ１と異なる値であってもよいが、ここでも説明を簡単にするため同じ値であるものとする。
【０１２０】
ステップＳ３後のステップＳ２４にて、操作入力処理部９は、左用アイコンを操作する直前の行為が実施されたか否かを判定するとともに、右用アイコンを操作する直前の行為が実施されたか否かを判定する。左用アイコンを操作する直前の行為（右用アイコンを操作する直前の行為）が実施されたと判定された場合にはステップＳ３１に進み、実施されなかったと判定された場合にはステップＳ２４に戻る。
【０１２１】
ステップＳ３１にて、制御部１４は、アイコンの表示領域の少なくとも一部とアイコン対応領域の少なくとも一部とが重なるか否かを判断する。すなわち、制御部１４は、スプリットビュー表示部２の画面上において、右用アイコンの表示領域の少なくとも一部と左用アイコン対応領域の少なくとも一部とが重なり、かつ、左用アイコンの表示領域の少なくとも一部と右用アイコン対応領域の少なくとも一部とが重なるかを判断する。重なると判断された場合にはステップＳ３２に進み、重ならないと判断された場合にはステップＳ２５に進む。ステップＳ２５〜Ｓ２９の動作は実施の形態２と同様であるので、それらの説明は省略する。
【０１２２】
ステップＳ３１からステップＳ３２に進んだ場合、当該ステップＳ３２にて、制御部１４は、複数の左用アイコンが占有する占有面積と、複数の右用アイコンが占有する占有面積とに基づいて、左用アイコン及び右用アイコンのうち操作を無効にすべき一方を選択する。ここでは、制御部１４は、左用アイコンの占有面積及び右用アイコンの占有面積のいずれか一方がスプリットビュー表示部２の画面面積に対して予め定められた割合（例えば５割）以上となる場合に、当該一方のアイコンに対する操作を有効にし、他方のアイコンに対する操作を無効にする。
【０１２３】
例えば、図１８（ａ）及び図１８（ｂ）に示す左用画像及び右用画像が、ステップＳ３にてスプリットビュー表示部２に表示されたものとする。図１８（ａ）の左用画像には、リストを表示するためのリストボタンである左用アイコンＬ１１，Ｌ１２，Ｌ１３，Ｌ１４，Ｌ１５と、リストボタンをスクロールするためのリストスクロールボタンである左用アイコンＬ１６（これらをまとめて以下「左用アイコンＬ１１〜Ｌ１６」と記す）とが配置された、リスト表示用の左用アイコン配置画像が表示されている。以下、図１８（ａ）に示されるリスト表示用の左用アイコン配置画像を、複数のアイコンの占有面積が比較的大きい画像の例として説明するが、これに限ったものではなく、例えば、メニュー表示用のアイコン配置画像またはキーボード表示用のアイコン配置画像であっても同様である。図１８（ｂ）の右用画像は、図８（ｂ）の右用画像と同じであり、右用アイコンＲ４，Ｒ５の表示領域の少なくとも一部と左用アイコンＬ１５の表示領域の少なくとも一部とが、スプリットビュー表示部２の画面上において互いに重なっている。
【０１２４】
ここで、ステップＳ３２にて、図１８（ａ）に示される複数の左用アイコンＬ１１〜Ｌ１６の合計の占有面積が、スプリットビュー表示部２の画面面積に対して予め定められた割合以上であると判断されたものとする。この場合には、図１８（ｂ）の右用アイコンＲ１〜Ｒ５のうち左用アイコンＬ１５とスプリットビュー表示部２の画面上において重なっている右用アイコンＲ４、Ｒ５に対して操作が実施されたと判定されたとしても、制御部１４は当該操作を無効にする。また、同ステップＳ３２にて、制御部１４は、当該無効にすることをスプリットビュー表示部２に識別可能に表示させる。
【０１２５】
図１９（ａ）及び図１９（ｂ）は、本実施の形態３に係るナビゲーション装置１のステップＳ３２における左用画像及び右用画像の表示例を示す図であり、具体的には、制御部１４が右用アイコンＲ４，Ｒ５に対する操作を無効にしている際の表示例が示されている。
【０１２６】
図１９（ａ）に示されるように、制御部１４は、左用画像において右用アイコンＲ１〜Ｒ５に対応する右用アイコン対応領域ＲＡ１〜ＲＡ５を表示させる。ここでは、制御部１４は、無効にされていない左用アイコンＬ１５については全体が優先して表示される。この結果、右用アイコン対応領域ＲＡ４，ＲＡ５のうち、左用アイコンＬ１５と重なる部分は表示されない。
【０１２７】
また、図１９（ｂ）に示されるように、制御部１４は、図１３（ｂ）に示した表示例と同様に、右用画像において左用アイコンＬ１１〜Ｌ１６に対応する左用対応領域を囲む領域ＬＥ２を表示させる。また、制御部１４は、操作を無効にした右用アイコンＲ４，Ｒ５を、ステップＳ３の右用アイコンＲ４，Ｒ５（図１８（ｂ））よりも暗い色で表示させる、もしくは、操作を無効にしていない右用アイコンＲ１，Ｒ２，Ｒ３よりも暗い色で表示させる、または、破線で示すなどによって、右用アイコンＲ４，Ｒ５に対する操作を無効にしていることを識別可能に表示させる。
【０１２８】
以上のように、ステップＳ３２にて制御部１４は、複数の左用アイコンの占有面積が予め定められた割合以上であると判断した場合には、右用アイコンに対する操作を無効にするとともに、当該無効にすることを識別可能に表示させる。一方、ステップＳ３２にて制御部１４は、複数の右用アイコンの占有面積が予め定められた割合以上であると判断した場合には、上述と同様に、左用アイコンに対する操作を無効にするとともに、当該無効にすることを識別可能に表示させる。
【０１２９】
また、ステップＳ３２にて制御部１４は、複数の左用アイコンの占有面積、及び、複数の右用アイコンの占有面積のいずれもが予め定められた割合以上であると判断した場合には、左用アイコン及び右用アイコンのうち予め定められた一方のアイコン（例えば助手席側のアイコン）に対する操作を無効にするとともに、当該無効にすることを識別可能に表示させる。
【０１３０】
図２０（ａ）及び図２０（ｂ）に、本実施の形態３に係るナビゲーション装置１のステップＳ３２における左用画像及び右用画像の別の表示例を示す。図２０（ａ）の左用画像には、左用アイコンＬ２１，Ｌ２２，Ｌ２３，Ｌ２４，Ｌ２５，Ｌ２６が配置された、メニュー表示用の左用アイコン配置画像が表示されている。ここでも、制御部１４は、無効にされていない左用アイコンＬ２３、Ｌ２４，Ｌ２５，Ｌ２６については全体が優先して表示される。また、制御部１４が、左用アイコンＬ２１，Ｌ２２，Ｌ２３，Ｌ２４，Ｌ２５，Ｌ２６の占有面積が大きいと判断した結果、図２０（ｂ）に示されるように、右用アイコンＲ１，Ｒ２，Ｒ３，Ｒ４，Ｒ５のいずれに対する操作も無効にされていることが識別可能に表示されている。
【０１３１】
図１７のステップＳ３３にて、操作入力処理部９は、有効なアイコン（無効になっていないアイコン）に対する操作が実施されたかを判定する。有効なアイコンに対する操作が実施されたと判定された場合にはステップＳ３４に進み、実施されなかったと判定された場合にはステップＳ３５に進む。
【０１３２】
ステップＳ３４にて、制御部１４は、ステップＳ２７と同様に、操作されたアイコンに対応するアプリケーションの機能を実行する。その後ステップＳ３５に進む。なお、操作されたアイコンに対して、アイコン配置画像が予め対応付けられて記憶部１１に記憶されている場合には、ステップＳ３４からステップＳ３に戻って、当該アイコン配置画像がスプリットビュー表示部２に表示されてもよい。
【０１３３】
ステップＳ３５にて、操作入力処理部９は、ステップＳ２８と同様に、左用アイコンを操作する直前の行為が実施中であるか否かを判定するとともに、右用アイコンを操作する直前の行為が実施中であるか否かを判定する。左用アイコンを操作する直前の行為（右用アイコンを操作する直前の行為）が実施中であると判定された場合にはステップＳ３３に戻り、実施中でないと判定された場合にはステップＳ３６に進む。
【０１３４】
ステップＳ３６にて、制御部１４は、ステップＳ３２の右用画像（図１９（ｂ））の表示からステップＳ３の元の右用画像（図１８（ｂ））の表示に戻す。また、制御部１４は、ステップＳ３２の左用画像（図１９（ａ））の表示からステップＳ３の元の左用画像（図１８（ａ））の表示に戻す。その後、ステップＳ２４に戻る。
【０１３５】
＜効果＞
以上のような本実施の形態３に係るナビゲーション装置１によれば、スプリットビュー表示部２の画面上において、右用アイコンの表示領域の少なくとも一部と左用アイコン対応領域の少なくとも一部とが重なり、かつ、左用アイコンの表示領域の少なくとも一部と右用アイコン対応領域の少なくとも一部とが重なる場合には、左用アイコン及び右用アイコンの一方に対する操作を無効にするとともに、当該無効にすることをスプリットビュー表示部２に識別可能に表示させる。したがって、左座席のユーザが意図せずに右用アイコンを操作したり、右座席のユーザが意図せずに左用アイコンを操作したりすることを抑制することができる。
【０１３６】
また、本実施の形態３によれば、複数の左用アイコンの占有面積と、複数の右用アイコンの占有面積とに基づいて、左用アイコン及び右用アイコンのうち操作を無効にすべき一方を選択する。これにより、操作を無効にすべきアイコンを適切に選択することができる。
【０１３７】
また、本実施の形態３のように、一方のアイコンと重なっている他方のアイコン（例えば上述の右用アイコンＲ４，Ｒ５）に対する操作だけを無効にして、一方のアイコンと重なっていない他方のアイコン（例えば上述の右用アイコンＲ１，Ｒ２，Ｒ３）に対する操作を無効にしないようにすれば、操作の制約を必要最小限に留めることができる。
【０１３８】
＜実施の形態３の変形例＞
左用アイコン及び右用アイコンが１つしか表示されない場合などには、制御部１４は、１つの左用アイコンの占有面積と、１つの右用アイコンの占有面積とに基づいて、左用アイコン及び右用アイコンのうち操作を無効にすべき一方を選択してもよい。また、以上に説明した内容を概括して、制御部１４は、１つの左用アイコンの占有面積または複数の左用アイコンの占有面積と、１つの右用アイコンの占有面積または複数の右用アイコンの占有面積とに基づいて、左用アイコン及び右用アイコンのうち操作を無効にすべき一方を選択してもよい。
【０１３９】
また、以上の説明では、制御部１４は、左用アイコンの占有面積及び右用アイコンの占有面積のいずれか一方が予め定められた割合以上となる場合に、当該一方のアイコンに対する操作を有効にし、他方のアイコンに対する操作を無効にした。しかしこれに限ったものではなく、制御部１４は、複数の左用アイコンの占有面積と、複数の右用アイコンの占有面積とを比較し、占有面積が大きい一方のアイコンに対する操作を有効にし、占有面積が小さい他方のアイコンに対する操作を無効にしてもよい。
【０１４０】
また、以上の説明では、ステップＳ２４及びステップＳ３１を経た後のステップＳ３２にて、左用アイコン及び右用アイコンの一方に対する操作が無効にされた。しかしこれに限ったものではなく、ステップＳ３１及びステップＳ３２は、ステップＳ２４の前に行われてもよい。
【０１４１】
＜実施の形態４＞
本発明の実施の形態４に係るナビゲーション装置１のブロック構成は、実施の形態１のブロック構成と同じであることから、その図示については省略する。そして、本実施の形態４に係るナビゲーション装置１において、実施の形態１で説明した構成要素と同一または類似するものについては同じ符号を付し、以下においては異なる点を中心に説明する。
【０１４２】
図２１及び図２２は、本実施の形態４に係るナビゲーション装置１の右用画像の表示例を示す図である。なお、図２１及び図２２に示される画像は、図８（ｂ）及び図９（ｂ）に示される画像とそれぞれ同じである。
【０１４３】
本実施の形態４では、制御部１４は、左用アイコンを操作する直前の行為が実施されている間に、指示体とタッチパネル３の検出面との間の距離Ｚに応じて、右用画像において左用アイコン対応領域を識別可能に表示させる表示制御（第１制御）と、右用画像において左用アイコン対応領域を識別可能に表示させない非表示制御（第２制御）とを選択的に実行するように構成されている。
【０１４４】
例えば、距離Ｚが閾値ＺＬ１よりも大きい（Ｚ＞ＺＬ１）場合には、操作入力処理部９は、左用アイコンを操作する直前の行為が実施されなかったと判定する。この場合に、本実施の形態４に係る制御部１４は、実施の形態１と同様に、図２１に示されるように、左用アイコン対応領域が識別できない右用画像を表示させる。
【０１４５】
距離Ｚが閾値ＺＬ１以下であり閾値ＺＬ２よりも大きい（ＺＬ２＜Ｚ≦ＺＬ１）場合には、操作入力処理部９は、左用アイコンを操作する直前の行為が実施されたと判定する。この場合に、本実施の形態４に係る制御部１４は、距離Ｚに応じて表示制御を行う。この結果、制御部１４は、実施の形態１と同様に、図２２に示されるように、左用アイコンＬ１〜Ｌ６と同じ画像を左用アイコン対応領域ＬＡ１〜ＬＡ６として左用画像に表示させる。
【０１４６】
距離Ｚが閾値ＺＬ２以下であり０よりも大きい（０＜Ｚ≦ＺＬ２）場合には、操作入力処理部９は、左用アイコンを操作する直前の行為が実施されたと判定する。この場合に、本実施の形態４に係る制御部１４は、距離Ｚに応じて非表示制御を行う。この結果、制御部１４は、実施の形態１と異なり、図２１に示されるように、左用アイコン対応領域が識別できない画像を表示させる。
【０１４７】
＜効果＞
以上のような本実施の形態４に係るナビゲーション装置１によれば、左用アイコンを操作する直前の行為が実施されている間に、距離Ｚに応じて、表示制御と非表示制御とを選択的に実行する。このような構成によれば、右座席のユーザ（助手席の同乗者）の指示体が、意図せずに左用アイコンを操作してしまう可能性が十分に低い位置からタッチパネル３にさらに近づいた場合には、右用画像の視認性が高まるように左用アイコン対応領域を非表示にすることが可能となる。
【０１４８】
＜実施の形態４の変形例１＞
制御部１４は、距離Ｚが閾値ＺＬ１以下であり閾値ＺＬ３よりも大きい（ＺＬ２＜ＺＬ３＜Ｚ≦ＺＬ１）場合には、図１１（ｂ）に示した表示例と同様に、例えば、左用アイコン対応領域の透過率５０％の元画像（背景画像）と、透過率５０％の右用アイコンの画像とを合成することによって得られる画像を、左用アイコン対応領域に表示させてもよい。そして、制御部１４は、距離Ｚが閾値ＺＬ３以下であり閾値ＺＬ２よりも大きい（ＺＬ２＜Ｚ≦ＺＬ３）場合には、図２２に示されるように、左用アイコンＬ１〜Ｌ６と同じ画像を左用アイコン対応領域ＬＡ１〜ＬＡ６に表示させてもよい。
【０１４９】
また、元画像及びアイコンの画像から得られた合成画像を左用アイコン対応領域に表示させる構成において、距離Ｚに応じて、当該合成画像における元画像の透過率とアイコンの画像の透過率とを徐々に変化させてもよい。このように構成された場合には、右用画像を、左用アイコン対応領域に左用アイコンの画像が表示されていない状態から、左用アイコン対応領域に左用アイコンの画像が表示されている状態への遷移、または、これとは逆の遷移を徐々に行うことができる。なお、距離Ｚに応じて透過率を徐々に変化させる手法としては、例えば、透過率Ｅと距離Ｚとの関数（Ｅ＝ｆ１（Ｚ））を記憶部１１に記憶しておき、制御部１４が当該関数を用いることによって透過率を変化するように構成すればよい。
【０１５０】
また、以上の説明では、制御部１４は、右用画像において、距離Ｚに応じて表示制御及び非表示制御を選択的に実行した。しかしこれに限ったものではなく、制御部１４は、左用画像、または、右用画像及び左用画像においても、上述と同様に、距離Ｚに応じて表示制御及び非表示制御を選択的に実行してもよい。すなわち、制御部１４は、距離Ｚが閾値ＺＲ１以下であり閾値ＺＲ２よりも大きい（ＺＲ２＜Ｚ≦ＺＲ１）場合には、図２２の表示例と同様に左用画像に関して表示制御を行い、距離Ｚが０より大きくかつ閾値ＺＲ２以下である（０＜Ｚ≦ＺＲ２）場合には、図２１の表示例と同様に左用画像に関して非表示制御を行ってもよい。
【０１５１】
また、上述したように、閾値ＺＬ１と閾値ＺＲ１とは同じ値であってもよいし、異なる値であってもよい。同様に、閾値ＺＬ２と閾値ＺＲ２とは同じ値であってもよいし、異なる値であってもよい。
【０１５２】
また、制御部１４は、閾値ＺＬ１及び閾値ＺＬ２を、左用画像側にて実行されているアプリケーションの種類、または、左用アイコンを操作した場合に実行される機能に応じて変更してもよい。例えば、左用アイコンが、操作に注意を要する特殊なアイコンである場合などには、閾値ＺＬ１を大きくすることにより、操作する際の早い段階から右用画像にて左用アイコン対応領域を識別可能に表示させることができる。これにより、右座席のユーザは、左用画像には特殊な左用アイコンが表示されていることを早い段階から認識することができ、この結果として、意図せずに左用アイコンを操作してしまう可能性をより低減することができる。同様に、制御部１４は、閾値ＺＲ１及び閾値ＺＲ２を、右用画像側にて実行されているアプリケーションの種類、または、右用アイコンを操作した場合に実行される機能に応じて変更するように構成されてもよい。
【０１５３】
＜実施の形態４の変形例２＞
タッチパネル３から指示体の三次元の位置を示す信号が定期的に出力される上述の構成では、制御部１４は、当該信号に基づいて、指示体の移動速度ｖを算出することが可能である。このように、タッチパネル３からの出力信号が、指示体の移動速度ｖに関する信号を含んでいる構成において、制御部１４は、左用アイコンを操作する直前の行為が実施されている間に、移動速度ｖに応じて、表示制御（第１制御）と、非表示制御（第２制御）とを選択的に実行するように構成されてもよい。
【０１５４】
このような本変形例２に係るナビゲーション装置１によれば、例えば、指示体が、予め定められた移動速度（例えば、過去の統計から算出された、操作に迷いが生じている際の移動速度ｖ１）で移動している場合に、表示制御を行ったり、非表示制御を行ったりすることができる。
【０１５５】
なお、制御部１４は、指示体が予め定められた移動速度ｖ１で移動していると判定されてからすぐに上述の表示制御を行ってもよいし、当該判定をした時点から一定時間経過した後に上述の表示制御を行ってもよい。同様に、制御部１４は、指示体が予め定められた移動速度ｖ１で移動していると判定されてからすぐに上述の非表示制御を行ってもよいし、当該判定をした時点から一定時間経過した後に上述の非表示制御を行ってもよい。
【０１５６】
また、本変形例２の構成と実施の形態４の変形例１の構成とを組み合せてもよい。例えば、制御部１４は、移動速度ｖに応じて合成画像における元画像の透過率及びアイコンの画像の透過率を徐々に変化させてもよい。なお、移動速度ｖに応じて透過率を徐々に変化させる手法としては、例えば、透過率Ｅと移動速度ｖとの関数（Ｅ＝ｆ２（ｖ））を記憶部１１に記憶しておき、制御部１４が当該関数を用いることによって透過率を変化するように構成すればよい。
【０１５７】
ここで移動速度ｖは、ＸＹＺ座標軸のうち任意の１〜３の座標軸に関する移動速度を用いてもよい。例えば、Ｚ座標軸の移動速度のみを用いてもよいし、Ｘ座標軸及びＹ座標軸の移動速度（ＸＹ平面内の移動速度）を用いてもよい。また、ユーザによって、移動速度に関してＸＹＺ座標軸のうちどの座標軸を用いるかを設定可能に構成されてもよい。このような構成によれば、使い易さを向上させることができる。
【０１５８】
＜その他の変形例＞
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１５９】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１６０】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１６１】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１６２】
なお、本発明は、その発明の範囲内において、各実施の形態及び各変形例を自由に組み合わせたり、各実施の形態及び各変形例を適宜、変形、省略したりすることが可能である。
【０１６３】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１６４】
１  ナビゲーション装置、２  スプリットビュー表示部、３  タッチパネル、１４  制御部、２１  指、Ｌ１〜Ｌ６，Ｌ１１〜Ｌ１６，Ｌ２１〜Ｌ２６  左用アイコン、Ｒ１〜Ｒ５  右用アイコン、ＬＡ１〜ＬＡ６  左用アイコン対応領域、ＲＡ１〜ＲＡ５  右用アイコン対応領域。
【図１】
0005901865.tif 000002
【図２】
0005901865.tif 000003
【図３】
0005901865.tif 000004
【図４】
0005901865.tif 000005
【図５】
0005901865.tif 000006
【図６】
0005901865.tif 000007
【図７】
0005901865.tif 000008
【図８】
0005901865.tif 000009
【図９】
0005901865.tif 000010
【図１０】
0005901865.tif 000011
【図１１】
0005901865.tif 000012
【図１２】
0005901865.tif 000013
【図１３】
0005901865.tif 000014
【図１４】
0005901865.tif 000015
【図１５】
0005901865.tif 000016
【図１６】
0005901865.tif 000017
【図１７】
0005901865.tif 000018
【図１８】
0005901865.tif 000019
【図１９】
0005901865.tif 000020
【図２０】
0005901865.tif 000021
【図２１】
0005901865.tif 000022
【図２２】
0005901865.tif 000023